(57)【要約】  携帯電話Ａと携帯電話Ｂとは、通話処理が実行中であり、相互に音声通信が可能な状態である。このような状態において、この携帯電話Ａは、携帯電話Ｂと通話処理中に、当該携帯電話Ａが位置する位置情報を測位する指示を当該携帯電話Ａの所有者から受け付けた場合に、ＧＰＳを起動して位置情報を取得する。そして、携帯電話Ａは、携帯電話Ｂと接続されている音声通信回線を使用して、取得した位置情報を読み上げて携帯電話Ｂに音声で通知する。
2009001469.tif 000002
【特許請求の範囲】
【請求項１】
移動体装置であって、
通話中に、当該移動体装置が位置する位置情報を測位する位置情報測位手段と、
当該測位された位置情報を通話中の相手先装置に通知する位置情報通知手段と、
を備えたことを特徴とする移動体装置。
【請求項２】
前記位置情報測位手段は、前記相手先装置と通話処理が実行されると、当該移動体装置が位置する位置情報を測位する指示を当該移動体装置の所有者から受け付けることなく、前記位置情報を測位することを特徴とする請求項１に記載の移動体装置。
【請求項３】
前記位置情報測位手段は、当該移動体装置が位置する位置情報を測位する指示を当該移動体装置の所有者から受け付けた場合に、ＧＰＳまたは近隣の基地局を用いて位置情報を測位することを特徴とする請求項１に記載の移動体装置。
【請求項４】
前記位置情報測位手段は、当該移動体装置が位置する位置情報を測位する指示を当該移動体装置の所有者から受け付けた場合に、当該移動体端末が現在位置する場所の住所、近隣の駅名、近隣のランドマークの情報を含む位置情報を測位することを特徴とする請求項１に記載の移動体装置。
【請求項５】
前記位置情報通知手段は、前記位置情報測位手段により位置情報が測位された場合に、当該測位された位置情報を読み上げて、通話処理中の相手先装置に音声で通知することを特徴とする請求項１〜４のいずれか一つに記載の移動体装置。
【請求項６】
前記位置情報通知手段は、前記位置情報測位手段により位置情報が測位された場合に、当該測位された位置情報を電子メールに添付して、通話処理中の相手先装置に電子メールで通知することを特徴とする請求項１〜４のいずれか一つに記載の移動体装置。
【請求項７】
前記位置情報通知手段は、前記位置情報測位手段により位置情報が測位された場合に、当該測位された位置情報を示すＵＲＬを電子メールに添付して、通話処理中の相手先装置に電子メールで通知することを特徴とする請求項１〜４のいずれか一つに記載の移動体装置。
【請求項８】
前記位置情報通知手段は、前記位置情報測定手段により位置情報が測位された場合に、当該測位された位置情報を示す地図データを電子メールに添付して、通話処理中の相手先装置に電子メールで通知することを特徴とする請求項１〜４のいずれか一つに記載の移動体装置。
【請求項９】
他の移動体装置と音声通信による通話処理を行うことに適した位置情報通知方法であって、
前記他の移動体装置と通話処理中に、当該移動体装置が位置する位置情報を測位する指示を当該移動体装置の所有者から受け付けた場合に、前記位置情報を測位する位置情報測位工程と、
前記位置情報測位工程により位置情報が測位された場合に、当該測位された位置情報を通話処理中の通話先の移動体装置に通知する位置情報通知工程と、
を含んだことを特徴とする位置情報通知方法。
【請求項１０】
他の移動体装置と音声通信による通話処理を行うことをコンピュータに実行させる位置情報通知プログラムであって、
前記他の移動体装置と通話処理中に、当該移動体装置が位置する位置情報を測位する指示を当該移動体装置の所有者から受け付けた場合に、前記位置情報を測位する位置情報測位手順と、
前記位置情報測位手順により位置情報が測位された場合に、当該測位された位置情報を通話処理中の通話先の移動体装置に通知する位置情報通知手順と、
をコンピュータに実行させることを特徴とする位置情報通知プログラム。
【発明の詳細な説明】
【技術分野】
【０００１】
この発明は、他の移動体装置と音声通信による通話処理を行う移動体装置、位置情報通知方法および位置情報通知プログラムに関する。
【背景技術】
【０００２】
従来より、ＧＰＳ（Global  Positioning  System）を備えた携帯電話などの移動体端末が普及し、現在地などの位置情報をリアルタイムに取得することができるようになってきた。【０００３】
例えば、特許文献１（特開２００１−８２５４号公報）では、携帯電話を用いて位置情報を取得し、取得した位置情報を当該携帯電話に接続される他の携帯電話やコンピュータ装置に表示出力したり、音声出力したりする技術が開示されている。具体的には、携帯電話の所有者は、ＧＰＳなどを用いて自装置の位置情報を取得する。そして、携帯電話の所有者は、インターネットやＰ２Ｐ（peer  to  peer）を用いて接続されている他の装置に対して、取得された位置情報として画像、画像にリンクさせたＵＲＬ（Uniform  Resource  Locator）や読み上げ音声などを電子メールなどに添付して送信する。【０００４】
【特許文献１】特開２００１−８２５４号公報
【発明の開示】
【発明が解決しようとする課題】
【０００５】
しかしながら、上記した従来の技術は、通話処理中に位置情報を簡単に取得して、通話先に簡単に通知することができないという課題があった。【０００６】
この課題を具体的に説明すると、通話処理中の相手に位置情報を伝える場合、携帯電話の所有者は、画面を見て携帯電話のＧＰＳを起動し、ＧＰＳによって取得された位置情報を見て、通話先に口頭で話したり、また、一度、通話を終了して、ＧＰＳを起動し、ＧＰＳによって取得された位置情報を電子メールで送信したりする必要があった。その結果、携帯電話の所有者は、位置情報を口頭で伝えたり、一度通話を終了したりするなど、通話先の相手に位置情報を簡単に伝えることができない。【０００７】
そこで、この発明は、上述した従来技術の課題を解決するためになされたものであり、通話処理中に位置情報を簡単に取得して、通話先に簡単に通知することが可能である移動体装置、位置情報通知方法および位置情報通知プログラムを提供することを目的とする。
【課題を解決するための手段】
【０００８】
上述した課題を解決し、目的を達成するため、請求項１に係る発明は、移動体装置であって、通話中に、当該移動体装置が位置する位置情報を測位する位置情報測位手段と、当該測位された位置情報を通話中の相手先装置に通知する位置情報通知手段と、を備えたことを特徴とする。【０００９】
また、請求項２に係る発明は、上記の発明において、前記位置情報測位手段は、前記他の移動体装置と通話処理が実行されると、当該移動体装置が位置する位置情報を測位する指示を当該移動体装置の所有者から受け付けることなく、前記位置情報を測位することを特徴とする。【００１０】
また、請求項３に係る発明は、上記の発明において、前記位置情報測位手段は、当該移動体装置が位置する位置情報を測位する指示を当該移動体装置の所有者から受け付けた場合に、ＧＰＳまたは近隣の基地局を用いて位置情報を測位することを特徴とする。【００１１】
また、請求項４に係る発明は、上記の発明において、前記位置情報測位手段は、当該移動体装置が位置する位置情報を測位する指示を当該移動体装置の所有者から受け付けた場合に、当該移動体端末が現在位置する場所の住所、近隣の駅名、近隣のランドマークの情報を含む位置情報を測位することを特徴とする。【００１２】
また、請求項５に係る発明は、上記の発明において、前記位置情報通知手段は、前記位置情報測位手段により位置情報が測位された場合に、当該測位された位置情報を読み上げて、通話処理中の相手先装置に音声で通知することを特徴とする。【００１３】
また、請求項６に係る発明は、上記の発明において、前記位置情報通知手段は、前記位置情報測位手段により位置情報が測位された場合に、当該測位された位置情報を電子メールに添付して、通話処理中の相手先装置に電子メールで通知することを特徴とする。【００１４】
また、請求項７に係る発明は、上記の発明において、前記位置情報通知手段は、前記位置情報測位手段により位置情報が測位された場合に、当該測位された位置情報を示すＵＲＬを電子メールに添付して、通話処理中の相手先装置に電子メールで通知することを特徴とする。【００１５】
また、請求項８に係る発明は、上記の発明において、前記位置情報通知手段は、前記位置情報測定手段により位置情報が測位された場合に、当該測位された位置情報を示す地図データを電子メールに添付して、通話処理中の相手先装置に電子メールで通知することを特徴とする。【００１６】
また、請求項９に係る発明は、他の移動体装置と音声通信による通話処理を行うことに適した位置情報通知方法であって、前記他の移動体装置と通話処理中に、当該移動体装置が位置する位置情報を測位する指示を当該移動体装置の所有者から受け付けた場合に、前記位置情報を測位する位置情報測位工程と、前記位置情報測位工程により位置情報が測位された場合に、当該測位された位置情報を通話処理中の通話先の移動体装置に通知する位置情報通知工程と、を含んだことを特徴とする。【００１７】
また、請求項１０に係る発明は、他の移動体装置と音声通信による通話処理を行うことをコンピュータに実行させる位置情報通知プログラムであって、前記他の移動体装置と通話処理中に、当該移動体装置が位置する位置情報を測位する指示を当該移動体装置の所有者から受け付けた場合に、前記位置情報を測位する位置情報測位手順と、前記位置情報測位手順により位置情報が測位された場合に、当該測位された位置情報を通話処理中の通話先の移動体装置に通知する位置情報通知手順と、をコンピュータに実行させることを特徴とする。
【発明の効果】
【００１８】
本発明によれば、通話中に、当該移動体装置が位置する位置情報を測位し、当該測位された位置情報を通話中の相手先装置に通知するので、通話処理中に位置情報を簡単に取得して、通話先に簡単に通知することが可能である。【００１９】
例えば、現在地の位置情報を取得するために、他の携帯電話との通話処理を終了することなく、また、取得した位置情報を自分で読み上げる必要もないので、通話処理中に位置情報を簡単に取得して、通話先に簡単に通知することが可能である。【００２０】
また、本発明によれば、他の移動体装置と通話処理が実行されると、当該移動体装置が位置する位置情報を測位する指示を当該移動体装置の所有者から受け付けることなく、位置情報を測位するので、通話処理中に位置情報をさらに簡単に取得することが可能である。【００２１】
また、本発明によれば、当該移動体装置が位置する位置情報を測位する指示を当該移動体装置の所有者から受け付けた場合に、ＧＰＳまたは近隣の基地局を用いて位置情報を測位するので、正確な位置情報を取得することが可能である。【００２２】
また、本発明によれば、当該移動体装置が位置する位置情報を測位する指示を当該移動体装置の所有者から受け付けた場合に、当該移動体端末が現在位置する場所の住所、近隣の駅名、近隣のランドマークの情報を含む位置情報を測位するので、詳細な位置情報を取得することが可能である。【００２３】
また、本発明によれば、位置情報が測位された場合に、当該測位された位置情報を読み上げて、通話処理中の相手先装置に音声で通知するので、正確に位置情報を伝えることが可能であるとともに、通話先に簡単に通知することが可能である。【００２４】
また、本発明によれば、位置情報が測位された場合に、当該測位された位置情報を電子メールに添付して、通話処理中の相手先装置に電子メールで通知するので、正確に位置情報を伝えることが可能であるとともに、通話先に簡単に通知することが可能である。【００２５】
また、本発明によれば、位置情報が測位された場合に、当該測位された位置情報を示すＵＲＬを電子メールに添付して、通話処理中の相手先装置に電子メールで通知するので、正確に位置情報を伝えることが可能であるとともに、通話先に簡単に通知することが可能である。【００２６】
また、本発明によれば、位置情報が測位された場合に、当該測位された位置情報を示す地図データを電子メールに添付して、通話処理中の相手先装置に電子メールで通知するので、正確に位置情報を伝えることが可能であるとともに、通話先に簡単に通知することが可能である。
【図面の簡単な説明】
【００２７】
【図１】図１は、実施例１に係る携帯電話の概要と特徴を説明するための図である。
【図２】図２は、携帯電話Ａの構成を示すブロック図である。
【図３】図３は、出力部に出力される操作指示画面を示す図である。
【図４】図４は、実施例１に係る携帯電話Ａにおける位置情報通知処理の流れを示すフローチャートである。
【図５】図５は、実施例２に係る携帯電話Ａの出力部に表示出力される画面例を示す図である。
【図６】図６は、実施例２に係る携帯電話Ａにおける位置情報通知処理の流れを示すフローチャートである。
【図７】図７は、位置情報通知プログラムを実行するコンピュータシステムの例を示す図である。
【符号の説明】
【００２８】
１０  携帯電話Ａ
１１  通信制御Ｉ／Ｆ部
１２  入力受付部
１３  出力部
２０  記憶部
２１  電話帳ＤＢ
２２  メールＤＢ
２３  位置情報ＤＢ
３０  制御部
３１  電話帳処理部
３２  通話処理部
３３  ブラウザ処理部
３４  メール処理部
３５  ＧＰＳ処理部
３６  音声読み上げ処理部
１００  コンピュータシステム
１０１  ＲＡＭ
１０２  ＨＤＤ
１０２ａ  電話帳テーブル
１０２ｂ  メールテーブル
１０２ｃ  位置情報テーブル
１０３  ＲＯＭ
１０３ａ  電話帳処理プログラム
１０３ｂ  通話処理プログラム
１０３ｃ  ブラウザ処理プログラム
１０３ｄ  メール処理プログラム
１０３ｅ  ＧＰＳ処理プログラム
１０３ｆ  音声読み上げ処理プログラム
１０４  ＣＰＵ
１０４ａ  電話帳処理プロセス
１０４ｂ  通話処理プロセス
１０４ｃ  ブラウザ処理プロセス
１０４ｄ  メール処理プロセス
１０４ｅ  ＧＰＳ処理プロセス
１０４ｆ  音声読み上げ処理プロセス
【発明を実施するための最良の形態】
【００２９】
以下に添付図面を参照して、この発明に係る移動体装置、位置情報通知方法および位置情報通知プログラムの実施例を詳細に説明する。なお、以下では、本実施例で用いる主要な用語、本実施例に係る携帯電話の概要および特徴、携帯電話の構成および処理の流れを順に説明し、最後に本実施例に対する種々の変形例を説明する。
【実施例１】
【００３０】
［用語の説明］
まず最初に、本実施例で用いる主要な用語を説明する。本実施例で用いる「携帯電話Ａ、携帯電話Ｂ（特許請求の範囲に記載の「移動体装置」に対応する。）」とは、音声により通信を行うことのできるコンピュータ装置のことであり、具体的には、音声通信可能なパーソナルコンピュータやワークステーション、家庭用ゲーム機、インターネットＴＶ、ＰＤＡ、あるいはＰＨＳの如き移動体通信端末などがこれに該当する。また、携帯電話Ａと携帯電話Ｂとは、それぞれＧＰＳ機能を有しており、ＧＰＳ衛星を用いて詳細な位置情報を取得することができる。【００３１】
［携帯電話の概要および特徴］
次に、図１を用いて、実施例１に係る携帯電話の概要および特徴を説明する。図１は、実施例１に係る携帯電話の概要と特徴を説明するための図である。図１に示すように、携帯電話Ａと携帯電話Ｂとは、音声による通話処理が可能な装置であり、ここでは、両装置に間で既に音声通信が接続されているとする。【００３２】
このような構成において、この携帯電話Ａは、上記したように、携帯電話Ｂと音声通信による通話処理を行うことを概要とするものであり、特に、通話処理中に位置情報を簡単に取得して、通話先に簡単に通知することが可能である点に主たる特徴がある。【００３３】
この主たる特徴を具体的に説明すると、この携帯電話Ａは、携帯電話Ｂと通話処理中に、当該携帯電話Ａが位置する位置情報を測位する指示を当該携帯電話Ａの所有者から受け付けた場合に、位置情報を測位する（図１の（１）〜（４）参照）。具体的に例を挙げれば、携帯電話Ａは、携帯電話Ｂと通話処理中に、当該携帯電話Ａが位置する位置情報を測位する指示として、例えば、ＧＰＳ機能起動ボタンをクリックされるなどの指示を当該携帯電話Ａの所有者から受け付ける。すると、携帯電話Ａは、ＧＰＳ機能を起動して、ＧＰＳ衛星を用いて位置情報の測位を開始する。そして、携帯電話Ａは、ＧＰＳ衛星から測位された位置情報（例えば、神奈川県川崎市中原区・・・などの住所）を取得する。なお、ここで取得される位置情報としては、市町村や番地、さらには、現在位置する近隣の駅名、近隣のランドマークの情報も取得することができる。【００３４】
その後、携帯電話Ａは、ＧＰＳにより位置情報が測位された場合に、当該測位された位置情報を通話処理中の相手先装置である携帯電話Ｂに通知する（図１の（５）参照）。上記した例で具体的に説明すると、携帯電話Ａは、携帯電話Ｂと接続されている音声通信回線を使用して、ＧＰＳにより位置情報（神奈川県川崎市中原区）を読み上げることで、通話処理中の相手先装置である携帯電話Ｂに通知する。【００３５】
このように、実施例１に係る携帯電話Ａは、現在地の位置情報を取得するために、携帯電話Ｂとの通話処理を終了する必要もなく、また、取得した位置情報を自分で読み上げる必要もない結果、上記した主たる特徴のごとく、通話処理中に位置情報を簡単に取得して、通話先に簡単に通知することが可能である。【００３６】
［携帯電話Ａの構成］
次に、図２を用いて、図１に示した携帯電話Ａの構成を説明する。図２は、携帯電話Ａの構成を示すブロック図である。なお、携帯電話Ａと携帯電話Ｂとは、同様の機能を有するので、ここでは、携帯電話Ａについてのみ詳細に説明する。【００３７】
図２に示すように、この携帯電話Ａ１０は、通信制御Ｉ／Ｆ部１１と、入力受付部１２と、出力部１３と、記憶部２０と、制御部３０とから構成される。【００３８】
通信制御Ｉ／Ｆ部１１は、他の携帯電話との間やインターネットなどでやり取りされる各種情報に関する通信を制御する。具体的に例を挙げれば、通信制御Ｉ／Ｆ部１１は、他の携帯電話である携帯電話Ｂとの間における音声通信に関する各種情報を制御したり、後述する制御部３０によって接続されるインターネット通信やメール通信に関する各種情報を制御したりする。【００３９】
入力受付部１２は、テンキーやマイクなどを備えて構成され、各種の情報の入力を受付ける。例えば、入力受付部１２は、携帯電話Ａの所有者から当該携帯電話Ａが位置する位置情報を測位する指示などを受け付けて入力する。そして、入力受付部１２は、所有者から各種操作指示を受け付けると、受け付けた操作指示を各種制御部に通知する。【００４０】
出力部１３は、モニタ（若しくはディスプレイ、タッチパネル）やスピーカを備えて構成され、各種の情報を出力する。例えば、出力部１３は、後述する制御部３０によって取得された位置情報を文字データ（例えば、神奈川県川崎市中原区・・・）や地図データとて表示出力する。また、出力部１３は、所有者に対して選択を促す各種画面（例えば、図４参照）を表示出力する。【００４１】
記憶部２０は、制御部３０による各種処理に必要なデータおよびプログラムを格納するとともに、特に本発明に密接に関連するものとしては、電話帳ＤＢ２１と、メールＤＢ２２と、位置情報ＤＢ２３とを備える。【００４２】
電話帳ＤＢ２１は、通話接続先を示す電話番号やメールの送受信を行うメールアドレスを記憶する。具体的に例を挙げれば、電話帳ＤＢ２１は、『接続先の相手を示す「氏名」、通話処理を行う相手の「電話番号」、メールの送受信先を示す「メールアドレス」』として「特許太郎、０３−ＸＸＸ−ＸＸＸＸ、tokkyo＠a.com」などと記憶する。なお、ここで示した各種のデータやパラメータを含む情報については、特記する場合を除いて任意に変更することができる。【００４３】
メールＤＢ２２は、送受信した電子メールを送受信した日付・送受信先に対応付けて記憶する。具体的に例を挙げれば、メールＤＢ２２は、受信したメールを保存する「受信メール」、送信したメールを保存する「送信済みメール」、破棄したメールを保存する「ゴミ箱」など、受信・送信・削除などに区分けして電子メールを記憶する。なお、ここで示した各種のデータやパラメータを含む情報については、特記する場合を除いて任意に変更することができる。【００４４】
位置情報ＤＢ２３は、後述するＧＰＳ処理部３５により取得された位置情報を記憶する。具体的に例を挙げれば、位置情報ＤＢ２３は、ＧＰＳ処理部３５によって取得された位置情報を文字データ（例えば、神奈川県川崎市中原区・・・）や地図データとて記憶する。【００４５】
制御部３０は、ＯＳ（Operating  System）などの制御プログラム、各種の処理手順などを規定したプログラムおよび所要データを格納するための内部メモリを有するとともに、特に本発明に密接に関連するものとしては、電話帳処理部３１と、通話処理部３２と、ブラウザ処理部３３と、メール処理部３４と、ＧＰＳ処理部３５と、音声読み上げ処理部３６とを備え、これらによって種々の処理を実行する。【００４６】
電話帳処理部３１は、所有者からの指示操作により電話帳ＤＢ２１に電話番号を登録したりする。具体的に例を挙げれば、電話帳処理部３１は、所有者から電話番号登録指示やメールアドレス登録指示が入力受付部１２によって受け付けられた場合、入力受付部１２によって所有者から受け付けられた新たな電話番号やメールアドレスを電話帳ＤＢ２１に登録したり、所有者から電話番号やメールアドレス削除指示が入力受付部１２によって受け付けられた場合、受け付けられた削除対象の電話番号やメールアドレス帳を電話帳ＤＢ２１から削除したり、所有者から電話番号検索指示やメールアドレス検索指示が入力受付部１２によって受け付けられた場合、電話帳ＤＢ２１に記憶されている電話番号やメールアドレスを出力部１３に表示出力したりする。【００４７】
通話処理部３２は、他の電話装置との間における音声通信（通話処理）の接続制御を行う。具体的に例を挙げれば、通話処理部３２は、電話帳ＤＢ２１に記憶される電話番号を用いて、当該電話番号に対応する携帯電話やＩＰ電話などの電話装置に対して発信処理を行ったり、他の電話装置から着信処理を行ったりする。【００４８】
ブラウザ処理部３３は、インターネットに接続するブラウザの各種制御を行う。具体的に例を挙げれば、ブラウザ処理部３３は、所有者から入力されたインターネット接続操作指示が入力受付部１２によって受け付けられると、インターネット接続ブラウザを起動してインターネットに接続し、各種情報のダウンロードなどを行う。【００４９】
メール処理部３４は、メール送受信に関する各種制御を行う。具体的に例を挙げれば、メール処理部３４は、所有者からメール送信指示が入力受付部１２によって受け付けられると、所有者によって作成されたメールを宛先に送信して、送信したメールをメールＤＢ２２に格納したり、他の装置からメールを受信すると、受信したメールをメールＤＢ２２に格納したりする。【００５０】
ＧＰＳ処理部３５は、他の装置と通話処理中に、当該携帯電話Ａ１０が位置する位置情報を測位する指示を当該携帯電話Ａ１０の所有者から受け付けた場合に、位置情報を測位する。具体的には、ＧＰＳ処理部３５は、当該携帯電話Ａ１０が位置する位置情報を測位する指示を当該携帯電話Ａ１０の所有者から受け付けた場合に、ＧＰＳを用いて位置情報を測位する。【００５１】
ここで、出力部１３に出力される各種画面を用いて具体的に説明すると、ＧＰＳ処理部３５は、図３の（１）に示すように、当該携帯電話Ａ１０と携帯電話Ｂとが通話処理中に、位置情報取得指示が入力受付部１２によって受け付けられると、図３の（２）に示した「サブメニュー」画面を出力部１３に表示出力する。そして、「サブメニュー」画面の「現在地を読む」が所有者によって選択されると、ＧＰＳ処理部３５は、図３の（３）に示すように「測位中」画面を出力部１３に表示出力するとともに、ＧＰＳを起動してＧＰＳ衛星に位置情報取得指示を送信する。そして、ＧＰＳ衛星によって位置情報が測位されて、測位された位置情報が携帯電話Ａ１０に送信されると、携帯電話Ａ１０のＧＰＳ処理部３５は、図３の（４）に示すように「取得中」画面を出力部１３に表示出力するとともに、ＧＰＳ衛星によって測位された位置情報を取得する。その後、ＧＰＳ処理部３５は、図３の（５）に示すように取得した位置情報（例えば、神奈川県川崎市中原区付近など）を出力部１３に表示出力する。なお、ＧＰＳ処理部３５は、請求の範囲に記載の「位置情報測位手段」に対応する。また、図３は、出力部に出力される操作指示画面を示す図である。【００５２】
音声読み上げ処理部３６は、ＧＰＳ処理部３５により位置情報が測位された場合に、当該測位された位置情報を通話処理中の通話先の携帯電話Ｂに通知する。具体的に例を挙げると、音声読み上げ処理部３６は、ＧＰＳ処理部３５により位置情報（例えば、神奈川県川崎市中原区付近など）が測位された場合に、通話接続されている同じ回線を用いて、当該測位された位置情報（例えば、神奈川県川崎市中原区付近など）を読み上げて、通話処理中の通話先の携帯電話Ｂに音声で通知する。なお、音声読み上げ処理部３６は、請求の範囲に記載の「位置情報通知手段」に対応する。【００５３】
［携帯電話Ａによる処理］
次に、図４を用いて、携帯電話Ａ１０による処理を説明する。図４は、実施例１に係る携帯電話Ａにおける位置情報通知処理の流れを示すフローチャートである。【００５４】
図４に示すように、位置情報測位指示が入力受付部１２によって所有者から受け付けられると（ステップＳ４０１肯定）、携帯電話Ａ１０のＧＰＳ処理部３５は、当該携帯電話Ａ１０が位置する位置情報をＧＰＳを用いて測位する（ステップＳ４０２）。【００５５】
そして、ＧＰＳ処理部３５は、ＧＰＳ衛星から測位された位置情報を取得し（ステップＳ４０３）、取得した位置情報（例えば、文字データや画像データなど）を出力部１３に表示出力する（ステップＳ４０４）。【００５６】
その後、音声読み上げ処理部３６は、通話接続されている同じ回線を用いて、当該測位された位置情報を読み上げて、通話処理中の通話先の携帯電話Ｂに音声で通知する（ステップＳ４０５肯定とステップＳ４０６）。【００５７】
［実施例１による効果］
このように、実施例１によれば、携帯電話Ｂと通話処理中に、通話中に、当該移動体装置が位置する位置情報を測位し、当該測位された位置情報を通話中の相手先装置である携帯電話Ｂに通知するので、通話処理中に位置情報を簡単に取得して、通話先に簡単に通知することが可能である。【００５８】
例えば、現在地の位置情報を取得するために、携帯電話Ｂとの通話処理を終了することなく、また、取得した位置情報を自分で読み上げる必要もないので、通話処理中に位置情報を簡単に取得して、通話先に簡単に通知することが可能である。【００５９】
また、実施例１によれば、当該携帯電話Ａ１０が位置する位置情報を測位する指示を当該携帯電話Ａ１０の所有者から受け付けた場合に、ＧＰＳを用いて位置情報を測位するので、正確な位置情報を取得することが可能である。【００６０】
また、実施例１によれば、位置情報が測位された場合に、当該測位された位置情報を読み上げて、通話処理中の通話先の携帯電話Ｂに音声で通知するので、正確に位置情報を伝えることが可能であるとともに、通話先に簡単に通知することが可能である。
【実施例２】
【００６１】
ところで、実施例１では、測位された位置情報を読み上げて通話接続中の携帯電話Ｂに音声で通知する場合について説明したが、本発明はこれに限定されるものではなく、通話接続中の携帯電話Ｂにメールで通知するようにしてもよい。【００６２】
そこで、実施例２では、図５と図６とを用いて、測位された位置情報を通話接続中の携帯電話Ｂにメールで通知する場合について説明する。また、実施例２では、実施例１と同様、携帯電話Ａと携帯電話Ｂとが通話処理中の状態であるとする。ここでは、はじめに、図５を用いて、実施例２に係る携帯電話Ａの概要を説明し、次に、図６を用いて、実施例２に係る携帯電話Ａにおける位置情報通知処理の流れを説明する。【００６３】
（実施例２に係る携帯電話Ａの概要）
図５は、実施例２に係る携帯電話Ａの出力部に表示出力される画面例を示す図である。実施例２に係る携帯電話Ａは、図５の（１）に示すように、当該携帯電話Ａと携帯電話Ｂとが通話処理中に、位置情報取得指示が入力受付部１２によって受け付けられると、図５の（２）に示した「サブメニュー」画面を出力部１３に表示出力する。そして、「サブメニュー」画面の「現在地を送る」が所有者によって選択されると、携帯電話Ａは、図５の（３）に示すように、通話接続中の携帯電話Ｂのメールアドレスを表示出力する。ここで、メールアドレスが複数ある場合、携帯電話Ａは、所有者からメールアドレスの選択を受け付けたり、ドメイン名を見て現在接続されている端末のメールアドレスを自動で選択したりする。【００６４】
そして、メールアドレスが自動または所有者によって選択されると、携帯電話Ａは、図５の（４）に示すように「測位中」画面を出力部１３に表示出力するとともに、ＧＰＳを起動してＧＰＳ衛星に位置情報取得指示を送信する。その後、ＧＰＳ衛星によって位置情報が測位されて、測位された位置情報が携帯電話Ａに送信されると、携帯電話Ａは、図５の（５）に示すように、図５の（３）で選択されたメールアドレスを送信先として、取得した位置情報をメールに添付して携帯電話Ｂに送信する。【００６５】
このように、実施例２に係る携帯電話Ａは、ＧＰＳにより位置情報が測位された場合に、当該測位された位置情報を電子メールに添付して、通話処理中の通話先の携帯電話Ｂに電子メールで通知することができる。【００６６】
（位置情報通知処理の流れ）
図６は、実施例２に係る携帯電話Ａにおける位置情報通知処理の流れを示すフローチャートである。図６に示すように、位置情報測位指示が所有者から受け付けられると（ステップＳ６０１肯定）、携帯電話Ａ１０は、通話接続先である携帯電話Ｂのメールアドレスが電話帳ＤＢ２１に複数記憶されているか否かを判定する（ステップＳ６０２）。【００６７】
そして、携帯電話Ｂのメールアドレスが電話帳ＤＢ２１に複数記憶されている場合（ステップＳ６０２肯定）、携帯電話Ａは、記憶されている複数のメールアドレスを表示出力して、所有者からメールアドレスの選択を受け付けて（ステップＳ６０３）、当該携帯電話Ａ１０が位置する位置情報をＧＰＳを用いて測位する（ステップＳ６０４）。【００６８】
一方、携帯電話Ｂのメールアドレスが電話帳ＤＢ２１に複数記憶されていない場合（ステップＳ６０２否定）、携帯電話Ａは、当該携帯電話Ａ１０が位置する位置情報をＧＰＳを用いて測位する（ステップＳ６０４）。【００６９】
そして、携帯電話Ａは、ＧＰＳ衛星によって測位された位置情報をメールに添付することで送信メールを生成し（ステップＳ６０５）、生成された送信メールを宛先となる携帯電話Ｂに送信する（ステップＳ６０６）。【００７０】
（実施例２による効果）
このように、実施例２に係る携帯電話Ａは、ＧＰＳにより位置情報が測位された場合に、当該測位された位置情報を電子メールに添付して、通話処理中の相手先装置である携帯電話Ｂに電子メールで通知するので、正確に位置情報を伝えることが可能であるとともに、通話先に簡単に通知することが可能である。
【実施例３】
【００７１】
さて、これまで本発明の実施例について説明したが、本発明は上述した実施例以外にも、種々の異なる形態にて実施されてよいものである。そこで、以下に示すように、（１）通知先装置、（２）測位手法、（３）通知手法、（４）システム構成等、（５）プログラムにそれぞれ区分けして異なる実施例を説明する。【００７２】
（１）通知先装置
例えば、実施例では、二者間通信を実行している場合に、相手に現在地を示す位置情報を通知することについて説明したが、本発明はこれに限定されるものではなく、三者間通信などを実行していても同様に通知することができる。その場合、現在、通話処理中である自分を除く他の電話装置に対して、現在地を示す位置情報を一斉に音声通知やメール通知を行う。【００７３】
（２）測位手法
また、実施例１では、ＧＰＳを用いて位置情報を測位・取得する場合について説明したが、本発明はこれに限定されるものではなく、例えば、近隣の基地局によって測位された位置情報を取得するようにしてもよい。具体的には、携帯電話Ａは、当該移動体装置が位置する位置情報を測位する指示を当該移動体装置の所有者から受け付けた場合に、近隣の基地局に対して位置情報測位指示を送信する。そして、測位された位置情報を基地局から受信すると、携帯電話Ａは、取得した位置情報を通話接続先の携帯電話Ｂに通知する。【００７４】
また、測位する位置情報としては、当該携帯電話が現在位置する場所の住所、近隣の駅名、近隣のランドマークの情報を含む位置情報を測位することもできる。例えば、どの情報を取得するかを、所有者によって予め設定されており、携帯電話は、設定されている情報に基づいて、位置情報を取得するようにしてもよい。また、所有者から位置情報測位指示を受け付けた場合に位置情報を取得するだけでなく、通話接続が開始されれば、位置情報を自動的に取得するようにしてもよい。【００７５】
（３）通知手法
また、実施例１では、取得した位置情報を読み上げて音声で通知する場合について説明し、実施例２では、取得した位置情報を文字データとしてメールに添付して通話処理中の携帯電話Ｂに通知する場合について説明したが、本発明はこれに限定されるものではなく、取得した位置情報のデータを示すＵＲＬや地図データそのものを、メールに添付して送信するようにしてもよい。こうすることで、正確に位置情報を伝えることが可能であるとともに、通話先に簡単に通知することが可能である。【００７６】
（４）システム構成等
また、本実施例において説明した各処理のうち、自動的におこなわれるものとして説明した処理（例えば、メールの送受信など）の全部または一部を手動的におこなうこともでき、あるいは、手動的におこなわれるものとして説明した処理（例えば、位置情報の取得指示など）の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。【００７７】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。【００７８】
（５）プログラム
ところで、上記の実施例で説明した各種の処理は、あらかじめ用意されたプログラムをパーソナルコンピュータやワークステーションなどのコンピュータシステムで実行することによって実現することができる。そこで、以下では、上記の実施例と同様の機能を有するプログラムを実行するコンピュータシステムを他の実施例として説明する。【００７９】
図７は、位置情報通知プログラムを実行するコンピュータシステムの例を示す図である。図７に示すように、コンピュータシステム１００は、ＲＡＭ１０１と、ＨＤＤ１０２と、ＲＯＭ１０３と、ＣＰＵ１０４とから構成される。ここで、ＲＯＭ１０３には、上記の実施例と同様の機能を発揮するプログラム、つまり、図７に示すように、電話帳処理プログラム１０３ａと、通話処理プログラム１０３ｂと、ブラウザ処理プログラム１０３ｃと、メール処理プログラム１０３ｄ、ＧＰＳ処理プログラム１０３ｅと、音声読み上げ処理プログラム１０３ｆとがあらかじめ記憶されている。【００８０】
そして、ＣＰＵ１０４には、これらのプログラム１０３ａ〜１０３ｆを読み出して実行することで、図７に示すように、電話帳処理プロセス１０４ａと、通話処理プロセス１０４ｂと、ブラウザ処理プロセス１０４ｃと、メール処理プロセス１０４ｄと、ＧＰＳ処理プロセス１０４ｅと、音声読み上げ処理プロセス１０４ｆとなる。なお、電話帳処理プロセス１０４ａは、図２に示した、電話帳処理部３１に対応し、同様に、通話処理プロセス１０４ｂは、通話処理部３２に対応し、ブラウザ処理プロセス１０４ｃは、ブラウザ処理部３３に対応し、メール処理プロセス１０４ｄは、メール処理部３４に対応し、ＧＰＳ処理プロセス１０４ｅは、ＧＰＳ処理部３５に対応し、音声読み上げ処理プロセス１０４ｆは、音声読み上げ処理部３６に対応する。【００８１】
また、ＨＤＤ１０２には、通話接続先を示す電話番号やメールの送受信を行うメールアドレスを記憶する電話帳テーブル１０２ａと、送受信した電子メールを送受信した日付・送受信先に対応付けて記憶するメールテーブル１０２ｂと、取得された位置情報を記憶する位置情報テーブル１０２ｃとが設けられる。なお、電話帳テーブル１０２ａは、図２に示した、電話帳ＤＢ２１に対応し、メールテーブル１０２ｂは、メールＤＢ２２に対応し、位置情報テーブル１０２ｃは、位置情報ＤＢ２３に対応する。【００８２】
ところで、上記したプログラム１０３ａ〜１０３ｆは、必ずしもＲＯＭ１０３に記憶させておく必要はなく、例えば、コンピュータシステム１００に挿入されるフレキシブルディスク（ＦＤ）、ＣＤ−ＲＯＭ、ＭＯディスク、ＤＶＤディスク、光磁気ディスク、ＩＣカードなどの「可搬用の物理媒体」の他に、コンピュータシステム１００の内外に備えられるハードディスクドライブ（ＨＤＤ）などの「固定用の物理媒体」、さらに、公衆回線、インターネット、ＬＡＮ、ＷＡＮなどを介してコンピュータシステム１００に接続される「他のコンピュータシステム」に記憶させておき、コンピュータシステム１００がこれらからプログラムを読み出して実行するようにしてもよい。
【産業上の利用可能性】
【００８３】
以上のように、本発明に係る移動体装置、位置情報通知方法および位置情報通知プログラムは、他の移動体装置と音声通信による通話処理を行うことに有用であり、特に、通話処理中に位置情報を簡単に取得して、通話先に簡単に通知することに適する。
【図１】
2009001469.tif 000003
【図２】
2009001469.tif 000004
【図３】
2009001469.tif 000005
【図４】
2009001469.tif 000006
【図５】
2009001469.tif 000007
【図６】
2009001469.tif 000008
【図７】
2009001469.tif 000009
【手続補正書】
【提出日】平成21年10月16日(2009.10.16)
【手続補正１】
【補正対象書類名】特許請求の範囲
【補正対象項目名】全文
【補正方法】変更
【補正の内容】
【特許請求の範囲】
【請求項１】
移動体装置であって、
通話中に、当該移動体装置が位置する位置情報を測位する位置情報測位手段と、
当該測位された位置情報を通話中の相手先装置に通知する位置情報通知手段と、
を備えたことを特徴とする移動体装置。
【請求項２】
前記位置情報測位手段は、前記相手先装置と通話処理が実行されると、当該移動体装置が位置する位置情報を測位する指示を当該移動体装置の所有者から受け付けることなく、前記位置情報を測位することを特徴とする請求項１に記載の移動体装置。
【請求項３】
前記位置情報測位手段は、当該移動体装置が位置する位置情報を測位する指示を当該移動体装置の所有者から受け付けた場合に、ＧＰＳまたは近隣の基地局を用いて位置情報を測位することを特徴とする請求項１に記載の移動体装置。
【請求項４】
前記位置情報通知手段は、前記位置情報測位手段により位置情報が測位された場合に、当該測位された位置情報を読み上げて、通話処理中の相手先装置に音声で通知することを特徴とする請求項１〜３のいずれか一つに記載の移動体装置。
【請求項５】
前記位置情報通知手段は、前記位置情報測位手段により位置情報が測位された場合に、当該測位された位置情報を電子メールに添付して、通話処理中の相手先装置に電子メールで通知することを特徴とする請求項１〜３のいずれか一つに記載の移動体装置。
【手続補正２】
【補正対象書類名】明細書
【補正対象項目名】全文
【補正方法】変更
【補正の内容】
【発明の詳細な説明】
【技術分野】
【０００１】
この発明は、他の移動体装置と音声通信による通話処理を行う移動体装置に関する。
【背景技術】
【０００２】
従来より、ＧＰＳ（Global  Positioning  System）を備えた携帯電話などの移動体端末が普及し、現在地などの位置情報をリアルタイムに取得することができるようになってきた。
【０００３】
例えば、特許文献１（特開２００１−８２５４号公報）では、携帯電話を用いて位置情報を取得し、取得した位置情報を当該携帯電話に接続される他の携帯電話やコンピュータ装置に表示出力したり、音声出力したりする技術が開示されている。具体的には、携帯電話の所有者は、ＧＰＳなどを用いて自装置の位置情報を取得する。そして、携帯電話の所有者は、インターネットやＰ２Ｐ（peer  to  peer）を用いて接続されている他の装置に対して、取得された位置情報として画像、画像にリンクさせたＵＲＬ（Uniform  Resource  Locator）や読み上げ音声などを電子メールなどに添付して送信する。
【０００４】
【特許文献１】特開２００１−８２５４号公報
【発明の開示】
【発明が解決しようとする課題】
【０００５】
しかしながら、上記した従来の技術は、通話処理中に位置情報を簡単に取得して、通話先に簡単に通知することができないという課題があった。
【０００６】
この課題を具体的に説明すると、通話処理中の相手に位置情報を伝える場合、携帯電話の所有者は、画面を見て携帯電話のＧＰＳを起動し、ＧＰＳによって取得された位置情報を見て、通話先に口頭で話したり、また、一度、通話を終了して、ＧＰＳを起動し、ＧＰＳによって取得された位置情報を電子メールで送信したりする必要があった。その結果、携帯電話の所有者は、位置情報を口頭で伝えたり、一度通話を終了したりするなど、通話先の相手に位置情報を簡単に伝えることができない。
【０００７】
そこで、この発明は、上述した従来技術の課題を解決するためになされたものであり、通話処理中に位置情報を簡単に取得して、通話先に簡単に通知することが可能である移動体装置を提供することを目的とする。
【課題を解決するための手段】
【０００８】
上述した課題を解決し、目的を達成するため、本発明は、移動体装置であって、通話中に、当該移動体装置が位置する位置情報を測位する位置情報測位手段と、当該測位された位置情報を通話中の相手先装置に通知する位置情報通知手段と、を備えたことを特徴とする。
【０００９】
また、本発明は、上記の発明において、前記位置情報測位手段は、前記他の移動体装置と通話処理が実行されると、当該移動体装置が位置する位置情報を測位する指示を当該移動体装置の所有者から受け付けることなく、前記位置情報を測位することを特徴とする。
【００１０】
また、本発明は、上記の発明において、前記位置情報測位手段は、当該移動体装置が位置する位置情報を測位する指示を当該移動体装置の所有者から受け付けた場合に、ＧＰＳまたは近隣の基地局を用いて位置情報を測位することを特徴とする。
【００１１】
また、本発明は、上記の発明において、前記位置情報測位手段は、当該移動体装置が位置する位置情報を測位する指示を当該移動体装置の所有者から受け付けた場合に、当該移動体端末が現在位置する場所の住所、近隣の駅名、近隣のランドマークの情報を含む位置情報を測位することを特徴とする。
【００１２】
また、本発明は、上記の発明において、前記位置情報通知手段は、前記位置情報測位手段により位置情報が測位された場合に、当該測位された位置情報を読み上げて、通話処理中の相手先装置に音声で通知することを特徴とする。
【００１３】
また、本発明は、上記の発明において、前記位置情報通知手段は、前記位置情報測位手段により位置情報が測位された場合に、当該測位された位置情報を電子メールに添付して、通話処理中の相手先装置に電子メールで通知することを特徴とする。
【００１４】
また、本発明は、上記の発明において、前記位置情報通知手段は、前記位置情報測位手段により位置情報が測位された場合に、当該測位された位置情報を示すＵＲＬを電子メールに添付して、通話処理中の相手先装置に電子メールで通知することを特徴とする。
【００１５】
また、本発明は、上記の発明において、前記位置情報通知手段は、前記位置情報測定手段により位置情報が測位された場合に、当該測位された位置情報を示す地図データを電子メールに添付して、通話処理中の相手先装置に電子メールで通知することを特徴とする。
【００１６】
また、本発明は、他の移動体装置と音声通信による通話処理を行うことに適した位置情報通知方法であって、前記他の移動体装置と通話処理中に、当該移動体装置が位置する位置情報を測位する指示を当該移動体装置の所有者から受け付けた場合に、前記位置情報を測位する位置情報測位工程と、前記位置情報測位工程により位置情報が測位された場合に、当該測位された位置情報を通話処理中の通話先の移動体装置に通知する位置情報通知工程と、を含んだことを特徴とする。
【００１７】
また、本発明は、他の移動体装置と音声通信による通話処理を行うことをコンピュータに実行させる位置情報通知プログラムであって、前記他の移動体装置と通話処理中に、当該移動体装置が位置する位置情報を測位する指示を当該移動体装置の所有者から受け付けた場合に、前記位置情報を測位する位置情報測位手順と、前記位置情報測位手順により位置情報が測位された場合に、当該測位された位置情報を通話処理中の通話先の移動体装置に通知する位置情報通知手順と、をコンピュータに実行させることを特徴とする。
【発明の効果】
【００１８】
本発明によれば、通話中に、当該移動体装置が位置する位置情報を測位し、当該測位された位置情報を通話中の相手先装置に通知するので、通話処理中に位置情報を簡単に取得して、通話先に簡単に通知することが可能である。
【００１９】
例えば、現在地の位置情報を取得するために、他の携帯電話との通話処理を終了することなく、また、取得した位置情報を自分で読み上げる必要もないので、通話処理中に位置情報を簡単に取得して、通話先に簡単に通知することが可能である。
【００２０】
また、本発明によれば、他の移動体装置と通話処理が実行されると、当該移動体装置が位置する位置情報を測位する指示を当該移動体装置の所有者から受け付けることなく、位置情報を測位するので、通話処理中に位置情報をさらに簡単に取得することが可能である。
【００２１】
また、本発明によれば、当該移動体装置が位置する位置情報を測位する指示を当該移動体装置の所有者から受け付けた場合に、ＧＰＳまたは近隣の基地局を用いて位置情報を測位するので、正確な位置情報を取得することが可能である。
【００２２】
また、本発明によれば、当該移動体装置が位置する位置情報を測位する指示を当該移動体装置の所有者から受け付けた場合に、当該移動体端末が現在位置する場所の住所、近隣の駅名、近隣のランドマークの情報を含む位置情報を測位するので、詳細な位置情報を取得することが可能である。
【００２３】
また、本発明によれば、位置情報が測位された場合に、当該測位された位置情報を読み上げて、通話処理中の相手先装置に音声で通知するので、正確に位置情報を伝えることが可能であるとともに、通話先に簡単に通知することが可能である。
【００２４】
また、本発明によれば、位置情報が測位された場合に、当該測位された位置情報を電子メールに添付して、通話処理中の相手先装置に電子メールで通知するので、正確に位置情報を伝えることが可能であるとともに、通話先に簡単に通知することが可能である。
【００２５】
また、本発明によれば、位置情報が測位された場合に、当該測位された位置情報を示すＵＲＬを電子メールに添付して、通話処理中の相手先装置に電子メールで通知するので、正確に位置情報を伝えることが可能であるとともに、通話先に簡単に通知することが可能である。
【００２６】
また、本発明によれば、位置情報が測位された場合に、当該測位された位置情報を示す地図データを電子メールに添付して、通話処理中の相手先装置に電子メールで通知するので、正確に位置情報を伝えることが可能であるとともに、通話先に簡単に通知することが可能である。
【発明を実施するための最良の形態】
【００２７】
以下に添付図面を参照して、この発明に係る移動体装置の実施例を詳細に説明する。なお、以下では、本実施例で用いる主要な用語、本実施例に係る携帯電話の概要および特徴、携帯電話の構成および処理の流れを順に説明し、最後に本実施例に対する種々の変形例を説明する。
【実施例１】
【００２８】
［用語の説明］
まず最初に、本実施例で用いる主要な用語を説明する。本実施例で用いる「携帯電話Ａ、携帯電話Ｂ（特許請求の範囲に記載の「移動体装置」に対応する。）」とは、音声により通信を行うことのできるコンピュータ装置のことであり、具体的には、音声通信可能なパーソナルコンピュータやワークステーション、家庭用ゲーム機、インターネットＴＶ、ＰＤＡ、あるいはＰＨＳの如き移動体通信端末などがこれに該当する。また、携帯電話Ａと携帯電話Ｂとは、それぞれＧＰＳ機能を有しており、ＧＰＳ衛星を用いて詳細な位置情報を取得することができる。
【００２９】
［携帯電話の概要および特徴］
次に、図１を用いて、実施例１に係る携帯電話の概要および特徴を説明する。図１は、実施例１に係る携帯電話の概要と特徴を説明するための図である。図１に示すように、携帯電話Ａと携帯電話Ｂとは、音声による通話処理が可能な装置であり、ここでは、両装置に間で既に音声通信が接続されているとする。
【００３０】
このような構成において、この携帯電話Ａは、上記したように、携帯電話Ｂと音声通信による通話処理を行うことを概要とするものであり、特に、通話処理中に位置情報を簡単に取得して、通話先に簡単に通知することが可能である点に主たる特徴がある。
【００３１】
この主たる特徴を具体的に説明すると、この携帯電話Ａは、携帯電話Ｂと通話処理中に、当該携帯電話Ａが位置する位置情報を測位する指示を当該携帯電話Ａの所有者から受け付けた場合に、位置情報を測位する（図１の（１）〜（４）参照）。具体的に例を挙げれば、携帯電話Ａは、携帯電話Ｂと通話処理中に、当該携帯電話Ａが位置する位置情報を測位する指示として、例えば、ＧＰＳ機能起動ボタンをクリックされるなどの指示を当該携帯電話Ａの所有者から受け付ける。すると、携帯電話Ａは、ＧＰＳ機能を起動して、ＧＰＳ衛星を用いて位置情報の測位を開始する。そして、携帯電話Ａは、ＧＰＳ衛星から測位された位置情報（例えば、神奈川県川崎市中原区・・・などの住所）を取得する。なお、ここで取得される位置情報としては、市町村や番地、さらには、現在位置する近隣の駅名、近隣のランドマークの情報も取得することができる。
【００３２】
その後、携帯電話Ａは、ＧＰＳにより位置情報が測位された場合に、当該測位された位置情報を通話処理中の相手先装置である携帯電話Ｂに通知する（図１の（５）参照）。上記した例で具体的に説明すると、携帯電話Ａは、携帯電話Ｂと接続されている音声通信回線を使用して、ＧＰＳにより位置情報（神奈川県川崎市中原区）を読み上げることで、通話処理中の相手先装置である携帯電話Ｂに通知する。
【００３３】
このように、実施例１に係る携帯電話Ａは、現在地の位置情報を取得するために、携帯電話Ｂとの通話処理を終了する必要もなく、また、取得した位置情報を自分で読み上げる必要もない結果、上記した主たる特徴のごとく、通話処理中に位置情報を簡単に取得して、通話先に簡単に通知することが可能である。
【００３４】
［携帯電話Ａの構成］
次に、図２を用いて、図１に示した携帯電話Ａの構成を説明する。図２は、携帯電話Ａの構成を示すブロック図である。なお、携帯電話Ａと携帯電話Ｂとは、同様の機能を有するので、ここでは、携帯電話Ａについてのみ詳細に説明する。
【００３５】
図２に示すように、この携帯電話Ａ１０は、通信制御Ｉ／Ｆ部１１と、入力受付部１２と、出力部１３と、記憶部２０と、制御部３０とから構成される。
【００３６】
通信制御Ｉ／Ｆ部１１は、他の携帯電話との間やインターネットなどでやり取りされる各種情報に関する通信を制御する。具体的に例を挙げれば、通信制御Ｉ／Ｆ部１１は、他の携帯電話である携帯電話Ｂとの間における音声通信に関する各種情報を制御したり、後述する制御部３０によって接続されるインターネット通信やメール通信に関する各種情報を制御したりする。
【００３７】
入力受付部１２は、テンキーやマイクなどを備えて構成され、各種の情報の入力を受付ける。例えば、入力受付部１２は、携帯電話Ａの所有者から当該携帯電話Ａが位置する位置情報を測位する指示などを受け付けて入力する。そして、入力受付部１２は、所有者から各種操作指示を受け付けると、受け付けた操作指示を各種制御部に通知する。
【００３８】
出力部１３は、モニタ（若しくはディスプレイ、タッチパネル）やスピーカを備えて構成され、各種の情報を出力する。例えば、出力部１３は、後述する制御部３０によって取得された位置情報を文字データ（例えば、神奈川県川崎市中原区・・・）や地図データとて表示出力する。また、出力部１３は、所有者に対して選択を促す各種画面（例えば、図４参照）を表示出力する。
【００３９】
記憶部２０は、制御部３０による各種処理に必要なデータおよびプログラムを格納するとともに、特に本発明に密接に関連するものとしては、電話帳ＤＢ２１と、メールＤＢ２２と、位置情報ＤＢ２３とを備える。
【００４０】
電話帳ＤＢ２１は、通話接続先を示す電話番号やメールの送受信を行うメールアドレスを記憶する。具体的に例を挙げれば、電話帳ＤＢ２１は、『接続先の相手を示す「氏名」、通話処理を行う相手の「電話番号」、メールの送受信先を示す「メールアドレス」』として「特許太郎、０３−ＸＸＸ−ＸＸＸＸ、tokkyo＠a.com」などと記憶する。なお、ここで示した各種のデータやパラメータを含む情報については、特記する場合を除いて任意に変更することができる。
【００４１】
メールＤＢ２２は、送受信した電子メールを送受信した日付・送受信先に対応付けて記憶する。具体的に例を挙げれば、メールＤＢ２２は、受信したメールを保存する「受信メール」、送信したメールを保存する「送信済みメール」、破棄したメールを保存する「ゴミ箱」など、受信・送信・削除などに区分けして電子メールを記憶する。なお、ここで示した各種のデータやパラメータを含む情報については、特記する場合を除いて任意に変更することができる。
【００４２】
位置情報ＤＢ２３は、後述するＧＰＳ処理部３５により取得された位置情報を記憶する。具体的に例を挙げれば、位置情報ＤＢ２３は、ＧＰＳ処理部３５によって取得された位置情報を文字データ（例えば、神奈川県川崎市中原区・・・）や地図データとて記憶する。
【００４３】
制御部３０は、ＯＳ（Operating  System）などの制御プログラム、各種の処理手順などを規定したプログラムおよび所要データを格納するための内部メモリを有するとともに、特に本発明に密接に関連するものとしては、電話帳処理部３１と、通話処理部３２と、ブラウザ処理部３３と、メール処理部３４と、ＧＰＳ処理部３５と、音声読み上げ処理部３６とを備え、これらによって種々の処理を実行する。
【００４４】
電話帳処理部３１は、所有者からの指示操作により電話帳ＤＢ２１に電話番号を登録したりする。具体的に例を挙げれば、電話帳処理部３１は、所有者から電話番号登録指示やメールアドレス登録指示が入力受付部１２によって受け付けられた場合、入力受付部１２によって所有者から受け付けられた新たな電話番号やメールアドレスを電話帳ＤＢ２１に登録したり、所有者から電話番号やメールアドレス削除指示が入力受付部１２によって受け付けられた場合、受け付けられた削除対象の電話番号やメールアドレス帳を電話帳ＤＢ２１から削除したり、所有者から電話番号検索指示やメールアドレス検索指示が入力受付部１２によって受け付けられた場合、電話帳ＤＢ２１に記憶されている電話番号やメールアドレスを出力部１３に表示出力したりする。
【００４５】
通話処理部３２は、他の電話装置との間における音声通信（通話処理）の接続制御を行う。具体的に例を挙げれば、通話処理部３２は、電話帳ＤＢ２１に記憶される電話番号を用いて、当該電話番号に対応する携帯電話やＩＰ電話などの電話装置に対して発信処理を行ったり、他の電話装置から着信処理を行ったりする。
【００４６】
ブラウザ処理部３３は、インターネットに接続するブラウザの各種制御を行う。具体的に例を挙げれば、ブラウザ処理部３３は、所有者から入力されたインターネット接続操作指示が入力受付部１２によって受け付けられると、インターネット接続ブラウザを起動してインターネットに接続し、各種情報のダウンロードなどを行う。
【００４７】
メール処理部３４は、メール送受信に関する各種制御を行う。具体的に例を挙げれば、メール処理部３４は、所有者からメール送信指示が入力受付部１２によって受け付けられると、所有者によって作成されたメールを宛先に送信して、送信したメールをメールＤＢ２２に格納したり、他の装置からメールを受信すると、受信したメールをメールＤＢ２２に格納したりする。
【００４８】
ＧＰＳ処理部３５は、他の装置と通話処理中に、当該携帯電話Ａ１０が位置する位置情報を測位する指示を当該携帯電話Ａ１０の所有者から受け付けた場合に、位置情報を測位する。具体的には、ＧＰＳ処理部３５は、当該携帯電話Ａ１０が位置する位置情報を測位する指示を当該携帯電話Ａ１０の所有者から受け付けた場合に、ＧＰＳを用いて位置情報を測位する。
【００４９】
ここで、出力部１３に出力される各種画面を用いて具体的に説明すると、ＧＰＳ処理部３５は、図３の（１）に示すように、当該携帯電話Ａ１０と携帯電話Ｂとが通話処理中に、位置情報取得指示が入力受付部１２によって受け付けられると、図３の（２）に示した「サブメニュー」画面を出力部１３に表示出力する。そして、「サブメニュー」画面の「現在地を読む」が所有者によって選択されると、ＧＰＳ処理部３５は、図３の（３）に示すように「測位中」画面を出力部１３に表示出力するとともに、ＧＰＳを起動してＧＰＳ衛星に位置情報取得指示を送信する。そして、ＧＰＳ衛星によって位置情報が測位されて、測位された位置情報が携帯電話Ａ１０に送信されると、携帯電話Ａ１０のＧＰＳ処理部３５は、図３の（４）に示すように「取得中」画面を出力部１３に表示出力するとともに、ＧＰＳ衛星によって測位された位置情報を取得する。その後、ＧＰＳ処理部３５は、図３の（５）に示すように取得した位置情報（例えば、神奈川県川崎市中原区付近など）を出力部１３に表示出力する。なお、ＧＰＳ処理部３５は、請求の範囲に記載の「位置情報測位手段」に対応する。また、図３は、出力部に出力される操作指示画面を示す図である。
【００５０】
音声読み上げ処理部３６は、ＧＰＳ処理部３５により位置情報が測位された場合に、当該測位された位置情報を通話処理中の通話先の携帯電話Ｂに通知する。具体的に例を挙げると、音声読み上げ処理部３６は、ＧＰＳ処理部３５により位置情報（例えば、神奈川県川崎市中原区付近など）が測位された場合に、通話接続されている同じ回線を用いて、当該測位された位置情報（例えば、神奈川県川崎市中原区付近など）を読み上げて、通話処理中の通話先の携帯電話Ｂに音声で通知する。なお、音声読み上げ処理部３６は、請求の範囲に記載の「位置情報通知手段」に対応する。
【００５１】
［携帯電話Ａによる処理］
次に、図４を用いて、携帯電話Ａ１０による処理を説明する。図４は、実施例１に係る携帯電話Ａにおける位置情報通知処理の流れを示すフローチャートである。
【００５２】
図４に示すように、位置情報測位指示が入力受付部１２によって所有者から受け付けられると（ステップＳ４０１肯定）、携帯電話Ａ１０のＧＰＳ処理部３５は、当該携帯電話Ａ１０が位置する位置情報をＧＰＳを用いて測位する（ステップＳ４０２）。
【００５３】
そして、ＧＰＳ処理部３５は、ＧＰＳ衛星から測位された位置情報を取得し（ステップＳ４０３）、取得した位置情報（例えば、文字データや画像データなど）を出力部１３に表示出力する（ステップＳ４０４）。
【００５４】
その後、音声読み上げ処理部３６は、通話接続されている同じ回線を用いて、当該測位された位置情報を読み上げて、通話処理中の通話先の携帯電話Ｂに音声で通知する（ステップＳ４０５肯定とステップＳ４０６）。
【００５５】
［実施例１による効果］
このように、実施例１によれば、携帯電話Ｂと通話処理中に、通話中に、当該移動体装置が位置する位置情報を測位し、当該測位された位置情報を通話中の相手先装置である携帯電話Ｂに通知するので、通話処理中に位置情報を簡単に取得して、通話先に簡単に通知することが可能である。
【００５６】
例えば、現在地の位置情報を取得するために、携帯電話Ｂとの通話処理を終了することなく、また、取得した位置情報を自分で読み上げる必要もないので、通話処理中に位置情報を簡単に取得して、通話先に簡単に通知することが可能である。
【００５７】
また、実施例１によれば、当該携帯電話Ａ１０が位置する位置情報を測位する指示を当該携帯電話Ａ１０の所有者から受け付けた場合に、ＧＰＳを用いて位置情報を測位するので、正確な位置情報を取得することが可能である。
【００５８】
また、実施例１によれば、位置情報が測位された場合に、当該測位された位置情報を読み上げて、通話処理中の通話先の携帯電話Ｂに音声で通知するので、正確に位置情報を伝えることが可能であるとともに、通話先に簡単に通知することが可能である。
【実施例２】
【００５９】
ところで、実施例１では、測位された位置情報を読み上げて通話接続中の携帯電話Ｂに音声で通知する場合について説明したが、本発明はこれに限定されるものではなく、通話接続中の携帯電話Ｂにメールで通知するようにしてもよい。
【００６０】
そこで、実施例２では、図５と図６とを用いて、測位された位置情報を通話接続中の携帯電話Ｂにメールで通知する場合について説明する。また、実施例２では、実施例１と同様、携帯電話Ａと携帯電話Ｂとが通話処理中の状態であるとする。ここでは、はじめに、図５を用いて、実施例２に係る携帯電話Ａの概要を説明し、次に、図６を用いて、実施例２に係る携帯電話Ａにおける位置情報通知処理の流れを説明する。
【００６１】
（実施例２に係る携帯電話Ａの概要）
図５は、実施例２に係る携帯電話Ａの出力部に表示出力される画面例を示す図である。実施例２に係る携帯電話Ａは、図５の（１）に示すように、当該携帯電話Ａと携帯電話Ｂとが通話処理中に、位置情報取得指示が入力受付部１２によって受け付けられると、図５の（２）に示した「サブメニュー」画面を出力部１３に表示出力する。そして、「サブメニュー」画面の「現在地を送る」が所有者によって選択されると、携帯電話Ａは、図５の（３）に示すように、通話接続中の携帯電話Ｂのメールアドレスを表示出力する。ここで、メールアドレスが複数ある場合、携帯電話Ａは、所有者からメールアドレスの選択を受け付けたり、ドメイン名を見て現在接続されている端末のメールアドレスを自動で選択したりする。
【００６２】
そして、メールアドレスが自動または所有者によって選択されると、携帯電話Ａは、図５の（４）に示すように「測位中」画面を出力部１３に表示出力するとともに、ＧＰＳを起動してＧＰＳ衛星に位置情報取得指示を送信する。その後、ＧＰＳ衛星によって位置情報が測位されて、測位された位置情報が携帯電話Ａに送信されると、携帯電話Ａは、図５の（５）に示すように、図５の（３）で選択されたメールアドレスを送信先として、取得した位置情報をメールに添付して携帯電話Ｂに送信する。
【００６３】
このように、実施例２に係る携帯電話Ａは、ＧＰＳにより位置情報が測位された場合に、当該測位された位置情報を電子メールに添付して、通話処理中の通話先の携帯電話Ｂに電子メールで通知することができる。
【００６４】
（位置情報通知処理の流れ）
図６は、実施例２に係る携帯電話Ａにおける位置情報通知処理の流れを示すフローチャートである。図６に示すように、位置情報測位指示が所有者から受け付けられると（ステップＳ６０１肯定）、携帯電話Ａ１０は、通話接続先である携帯電話Ｂのメールアドレスが電話帳ＤＢ２１に複数記憶されているか否かを判定する（ステップＳ６０２）。
【００６５】
そして、携帯電話Ｂのメールアドレスが電話帳ＤＢ２１に複数記憶されている場合（ステップＳ６０２肯定）、携帯電話Ａは、記憶されている複数のメールアドレスを表示出力して、所有者からメールアドレスの選択を受け付けて（ステップＳ６０３）、当該携帯電話Ａ１０が位置する位置情報をＧＰＳを用いて測位する（ステップＳ６０４）。
【００６６】
一方、携帯電話Ｂのメールアドレスが電話帳ＤＢ２１に複数記憶されていない場合（ステップＳ６０２否定）、携帯電話Ａは、当該携帯電話Ａ１０が位置する位置情報をＧＰＳを用いて測位する（ステップＳ６０４）。
【００６７】
そして、携帯電話Ａは、ＧＰＳ衛星によって測位された位置情報をメールに添付することで送信メールを生成し（ステップＳ６０５）、生成された送信メールを宛先となる携帯電話Ｂに送信する（ステップＳ６０６）。
【００６８】
（実施例２による効果）
このように、実施例２に係る携帯電話Ａは、ＧＰＳにより位置情報が測位された場合に、当該測位された位置情報を電子メールに添付して、通話処理中の相手先装置である携帯電話Ｂに電子メールで通知するので、正確に位置情報を伝えることが可能であるとともに、通話先に簡単に通知することが可能である。
【実施例３】
【００６９】
さて、これまで本発明の実施例について説明したが、本発明は上述した実施例以外にも、種々の異なる形態にて実施されてよいものである。そこで、以下に示すように、（１）通知先装置、（２）測位手法、（３）通知手法、（４）システム構成等、（５）プログラムにそれぞれ区分けして異なる実施例を説明する。
【００７０】
（１）通知先装置
例えば、実施例では、二者間通信を実行している場合に、相手に現在地を示す位置情報を通知することについて説明したが、本発明はこれに限定されるものではなく、三者間通信などを実行していても同様に通知することができる。その場合、現在、通話処理中である自分を除く他の電話装置に対して、現在地を示す位置情報を一斉に音声通知やメール通知を行う。
【００７１】
（２）測位手法
また、実施例１では、ＧＰＳを用いて位置情報を測位・取得する場合について説明したが、本発明はこれに限定されるものではなく、例えば、近隣の基地局によって測位された位置情報を取得するようにしてもよい。具体的には、携帯電話Ａは、当該移動体装置が位置する位置情報を測位する指示を当該移動体装置の所有者から受け付けた場合に、近隣の基地局に対して位置情報測位指示を送信する。そして、測位された位置情報を基地局から受信すると、携帯電話Ａは、取得した位置情報を通話接続先の携帯電話Ｂに通知する。
【００７２】
また、測位する位置情報としては、当該携帯電話が現在位置する場所の住所、近隣の駅名、近隣のランドマークの情報を含む位置情報を測位することもできる。例えば、どの情報を取得するかを、所有者によって予め設定されており、携帯電話は、設定されている情報に基づいて、位置情報を取得するようにしてもよい。また、所有者から位置情報測位指示を受け付けた場合に位置情報を取得するだけでなく、通話接続が開始されれば、位置情報を自動的に取得するようにしてもよい。
【００７３】
（３）通知手法
また、実施例１では、取得した位置情報を読み上げて音声で通知する場合について説明し、実施例２では、取得した位置情報を文字データとしてメールに添付して通話処理中の携帯電話Ｂに通知する場合について説明したが、本発明はこれに限定されるものではなく、取得した位置情報のデータを示すＵＲＬや地図データそのものを、メールに添付して送信するようにしてもよい。こうすることで、正確に位置情報を伝えることが可能であるとともに、通話先に簡単に通知することが可能である。
【００７４】
（４）システム構成等
また、本実施例において説明した各処理のうち、自動的におこなわれるものとして説明した処理（例えば、メールの送受信など）の全部または一部を手動的におこなうこともでき、あるいは、手動的におこなわれるものとして説明した処理（例えば、位置情報の取得指示など）の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００７５】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【００７６】
（５）プログラム
ところで、上記の実施例で説明した各種の処理は、あらかじめ用意されたプログラムをパーソナルコンピュータやワークステーションなどのコンピュータシステムで実行することによって実現することができる。そこで、以下では、上記の実施例と同様の機能を有するプログラムを実行するコンピュータシステムを他の実施例として説明する。
【００７７】
図７は、位置情報通知プログラムを実行するコンピュータシステムの例を示す図である。図７に示すように、コンピュータシステム１００は、ＲＡＭ１０１と、ＨＤＤ１０２と、ＲＯＭ１０３と、ＣＰＵ１０４とから構成される。ここで、ＲＯＭ１０３には、上記の実施例と同様の機能を発揮するプログラム、つまり、図７に示すように、電話帳処理プログラム１０３ａと、通話処理プログラム１０３ｂと、ブラウザ処理プログラム１０３ｃと、メール処理プログラム１０３ｄ、ＧＰＳ処理プログラム１０３ｅと、音声読み上げ処理プログラム１０３ｆとがあらかじめ記憶されている。
【００７８】
そして、ＣＰＵ１０４には、これらのプログラム１０３ａ〜１０３ｆを読み出して実行することで、図７に示すように、電話帳処理プロセス１０４ａと、通話処理プロセス１０４ｂと、ブラウザ処理プロセス１０４ｃと、メール処理プロセス１０４ｄと、ＧＰＳ処理プロセス１０４ｅと、音声読み上げ処理プロセス１０４ｆとなる。なお、電話帳処理プロセス１０４ａは、図２に示した、電話帳処理部３１に対応し、同様に、通話処理プロセス１０４ｂは、通話処理部３２に対応し、ブラウザ処理プロセス１０４ｃは、ブラウザ処理部３３に対応し、メール処理プロセス１０４ｄは、メール処理部３４に対応し、ＧＰＳ処理プロセス１０４ｅは、ＧＰＳ処理部３５に対応し、音声読み上げ処理プロセス１０４ｆは、音声読み上げ処理部３６に対応する。
【００７９】
また、ＨＤＤ１０２には、通話接続先を示す電話番号やメールの送受信を行うメールアドレスを記憶する電話帳テーブル１０２ａと、送受信した電子メールを送受信した日付・送受信先に対応付けて記憶するメールテーブル１０２ｂと、取得された位置情報を記憶する位置情報テーブル１０２ｃとが設けられる。なお、電話帳テーブル１０２ａは、図２に示した、電話帳ＤＢ２１に対応し、メールテーブル１０２ｂは、メールＤＢ２２に対応し、位置情報テーブル１０２ｃは、位置情報ＤＢ２３に対応する。
【００８０】
ところで、上記したプログラム１０３ａ〜１０３ｆは、必ずしもＲＯＭ１０３に記憶させておく必要はなく、例えば、コンピュータシステム１００に挿入されるフレキシブルディスク（ＦＤ）、ＣＤ−ＲＯＭ、ＭＯディスク、ＤＶＤディスク、光磁気ディスク、ＩＣカードなどの「可搬用の物理媒体」の他に、コンピュータシステム１００の内外に備えられるハードディスクドライブ（ＨＤＤ）などの「固定用の物理媒体」、さらに、公衆回線、インターネット、ＬＡＮ、ＷＡＮなどを介してコンピュータシステム１００に接続される「他のコンピュータシステム」に記憶させておき、コンピュータシステム１００がこれらからプログラムを読み出して実行するようにしてもよい。
【産業上の利用可能性】
【００８１】
以上のように、本発明に係る移動体装置は、他の移動体装置と音声通信による通話処理を行うことに有用であり、特に、通話処理中に位置情報を簡単に取得して、通話先に簡単に通知することに適する。
【図面の簡単な説明】
【００８２】
【図１】図１は、実施例１に係る携帯電話の概要と特徴を説明するための図である。
【図２】図２は、携帯電話Ａの構成を示すブロック図である。
【図３】図３は、出力部に出力される操作指示画面を示す図である。
【図４】図４は、実施例１に係る携帯電話Ａにおける位置情報通知処理の流れを示すフローチャートである。
【図５】図５は、実施例２に係る携帯電話Ａの出力部に表示出力される画面例を示す図である。
【図６】図６は、実施例２に係る携帯電話Ａにおける位置情報通知処理の流れを示すフローチャートである。
【図７】図７は、位置情報通知プログラムを実行するコンピュータシステムの例を示す図である。
【符号の説明】
【００８３】
１０  携帯電話Ａ
１１  通信制御Ｉ／Ｆ部
１２  入力受付部
１３  出力部
２０  記憶部
２１  電話帳ＤＢ
２２  メールＤＢ
２３  位置情報ＤＢ
３０  制御部
３１  電話帳処理部
３２  通話処理部
３３  ブラウザ処理部
３４  メール処理部
３５  ＧＰＳ処理部
３６  音声読み上げ処理部
１００  コンピュータシステム
１０１  ＲＡＭ
１０２  ＨＤＤ
１０２ａ  電話帳テーブル
１０２ｂ  メールテーブル
１０２ｃ  位置情報テーブル
１０３  ＲＯＭ
１０３ａ  電話帳処理プログラム
１０３ｂ  通話処理プログラム
１０３ｃ  ブラウザ処理プログラム
１０３ｄ  メール処理プログラム
１０３ｅ  ＧＰＳ処理プログラム
１０３ｆ  音声読み上げ処理プログラム
１０４  ＣＰＵ
１０４ａ  電話帳処理プロセス
１０４ｂ  通話処理プロセス
１０４ｃ  ブラウザ処理プロセス
１０４ｄ  メール処理プロセス
１０４ｅ  ＧＰＳ処理プロセス
１０４ｆ  音声読み上げ処理プロセス
【国際調査報告】
2009001469.tif 000010
2009001469.tif 000011
2009001469.tif 000012
2009001469.tif 000013